(57)【要約】【課題】無線通信により指紋照合を可能とする携帯通信端末および無線通信システムを提供する。【解決手段】携帯通信端末としての携帯電話機１０は、無線通信を行う通信処理部１０１と、被験者の指紋データを取得する指紋走査部１０３と、被験者の付加情報を入力するキー入力部１０４と、表示部１０５と、被験者の指紋データと付加情報とを関連付けて記憶するメモリ１０２と、制御部１０９とを有し、制御部１０９は、被験者から取得した指紋データと付加情報（被験者に関する情報）を関連付けて、無線通信により送信する。【選択図】図２
2005192159.tif 000002
【特許請求の範囲】
【請求項１】
指紋形状を走査し、前記指紋形状に相当する指紋データを取得する指紋データ取得手段と、
複数のキーを含み、前記指紋形状に対応する付加情報を入力する入力手段と、
前記指紋データ取得手段が取得した指紋データと、前記入力手段が入力した指紋データに対応する付加情報とを関連付けて、無線通信により送信する制御手段と
を有することを特徴とする携帯通信端末。
【請求項２】
携帯通信端末と指紋照合装置との間で無線通信を介して接続され、
前記携帯通信端末は、
指紋形状を走査し、前記指紋形状に相当する指紋データを取得する指紋データ取得手段と、
前記指紋データ取得手段が取得した指紋データを、無線通信により送信する制御手段と  を有し、
前記指紋照合装置は、
予め登録された指紋データおよび当該指紋データに対応付けた人物データとを記憶する指紋データ記憶手段と、
前記携帯通信端末より指紋データを受信し、受信した指紋データと前記指紋データ記憶手段が記憶する指紋データとを照合し、前記人物データを含む照合結果を無線通信により前記携帯通信端末に送信する指紋照合手段と
を有することを特徴とする無線通信システム。
【請求項３】
前記携帯通信端末は、表示手段をさらに有し、
前記制御手段は、
前記指紋照合装置から無線通信を介して受信した照合結果を前記表示手段に表示させる  ことを特徴とする請求項２記載の無線通信システム。
【請求項４】
前記携帯通信端末は、複数のキーを含み、前記指紋形状に対応する付加情報を入力する入力手段をさらに有し、
前記制御手段は、
前記指紋データ取得手段が取得した指紋データと、前記入力手段が入力した指紋データに対応する付加情報とを関連付けて、無線通信により送信し、
前記指紋照合装置の指紋照合手段は、
受信した前記指紋データの照合の際に、前記付加情報により前記人物データを絞り込み処理する
ことを特徴とする請求項２または３記載の無線通信システム。
【請求項５】
前記携帯通信端末は、
利用者の指紋に応じて認証を行う利用者認証モードを有し、
前記指紋照合装置の指紋データ記憶手段は、登録された利用者に対応する指紋データを記憶し、
前記携帯通信端末の制御手段は、
前記指紋データ取得手段が前記利用者認証モード中に取得した指紋データを、無線通信により指紋照合装置に送信し、送信した指紋データに基づく指紋照合装置による指紋照合結果を無線通信により受信し、受信した指紋照合結果に基づいて、指紋データ取得手段の実行可否を決定する
ことを特徴とする請求項２乃至４のいずれか一に記載の無線通信システム。
【発明の詳細な説明】
【技術分野】
【０００１】
本発明は、たとえば携帯電話機のような携帯通信端末と、携帯通信端末を利用して、無線通信により指紋照合を行う無線通信システムに関するものである。
【背景技術】
【０００２】
従来、警察官等による職務質問や事情聴取における被疑者の本人確認は、免許証やパスポート等の公的証明書に基づいて行っているが、被疑者の協力が得られないときには、被疑者の指紋を採取し、あらかじめ登録した指紋データと照合することにより、本人確認（本人特定）が行われている。
その場合に、各警察官は、被疑者の指紋を採取し、採取した指紋を警察の鑑識部署等に持ち込み、指紋照合を依頼する。
【発明の開示】
【発明が解決しようとする課題】
【０００３】
ところで、各警察官が、被疑者の指紋を採取した後に、鑑識部署等に対して指紋照合を依頼する従来の指紋照合では、被疑者の特定までにかなり時間を要し、その間、警察官は、被疑者を拘束する等の必要な措置を取ることができない場合がある。
また、警察官は、指紋照合を行う鑑識部署の近くで常に活動しているとは限らないので、被疑者の特定にさらに時間を要する場合もある。さらに、警察官が、鑑識部署に対して早急に指紋照合を依頼したい時であっても、鑑識部署が活動していない時間である場合には、鑑識部署に対して指紋照合の依頼をすることができない。
したがって、時間・場所を問わず、各警察官が早期に指紋照合をすることが可能となる手段が要望される。
【０００４】
本発明はかかる事情に鑑みてなされたものであり、その目的は、無線通信により指紋照合を可能とする携帯通信端末および無線通信システムを提供することにある。
【課題を解決するための手段】
【０００５】
上記目的を達成するために本発明の第１の観点は、指紋形状を走査し、前記指紋形状に相当する指紋データを取得する指紋データ取得手段と、複数のキーを含み、前記指紋形状に対応する付加情報を入力する入力手段と、前記指紋データ取得手段が取得した指紋データと、前記入力手段が入力した指紋データに対応する付加情報とを関連付けて、無線通信により送信する制御手段とを有する携帯通信端末である。
【０００６】
上記目的を達成するために本発明の第２の観点は、携帯通信端末と指紋照合装置との間で無線通信を介して接続され、前記携帯通信端末は、指紋形状を走査し、前記指紋形状に相当する指紋データを取得する指紋データ取得手段と、前記指紋データ取得手段が取得した指紋データを、無線通信により送信する制御手段とを有し、前記指紋照合装置は、予め登録された指紋データおよび当該指紋データに対応付けた人物データとを記憶する指紋データ記憶手段と、前記携帯通信端末より指紋データを受信し、受信した指紋データと前記指紋データ記憶手段が記憶する指紋データとを照合し、前記人物データを含む照合結果を無線通信により前記携帯通信端末に送信する指紋照合手段とを有する無線通信システムである。
【０００７】
好適には、前記携帯通信端末は、表示手段をさらに有し、前記制御手段は、前記指紋照合装置から無線通信を介して受信した照合結果を前記表示手段に表示させる。
【０００８】
好適には、前記携帯通信端末は、複数のキーを含み、前記指紋形状に対応する付加情報を入力する入力手段をさらに有し、前記制御手段は、前記指紋データ取得手段が取得した指紋データと、前記入力手段が入力した指紋データに対応する付加情報とを関連付けて、無線通信により送信し、前記指紋照合装置の指紋照合手段は、受信した前記指紋データの照合の際に、前記付加情報により前記人物データを絞り込み処理する。
【０００９】
好適には、前記携帯通信端末は、利用者の指紋に応じて認証を行う利用者認証モードを有し、前記指紋照合装置の指紋データ記憶手段は、登録された利用者に対応する指紋データを記憶し、前記携帯通信端末の制御手段は、前記指紋データ取得手段が前記利用者認証モード中に取得した指紋データを、無線通信により指紋照合装置に送信し、送信した指紋データに基づく指紋照合装置による指紋照合結果を無線通信により受信し、受信した指紋照合結果に基づいて、指紋データ取得手段の実行可否を決定する。
【発明の効果】
【００１０】
本発明によれば、無線通信により指紋照合が可能となるので、時間や場所を問わず、早期に被験者の特定を行うことができる利点がある。
【発明を実施するための最良の形態】
【００１１】
実施形態
以下、本発明に係る携帯通信端末および無線通信システムの実施形態を添付図面に関連付けて説明する。
図１は、本発明の携帯通信端末としての携帯電話機１０の外観の一例を図解した図であり、（ａ）は正面の外観図を、（ｂ）は背面の外観図を、それぞれ示す。図２は、携帯電話機１０の主要回路の構成例を示すブロック図である。
なお、本発明に係る無線通信システムは、本実施形態においては、携帯電話機１０と後述する指紋照合装置としての管理センタ２０とを備えて構成される。
【００１２】
図１（ａ）に示すように、携帯電話機１０の本体ケース１００の正面には、送受信アンテナ１０１ａと、表示部１０５と、キー入力部１０４と、マイクロフォン１０６ｂと、スピーカ１０６ａとが配設されている。
さらに、図１（ｂ）に示すように、携帯電話機１０の本体ケース１００の背面には、指紋走査部１０３が配設されている。
図２に示すように、携帯電話機１０は、送受信アンテナ１０１ａを含む通信処理部１０１と、メモリ１０２と、指紋走査部１０３と、キー入力部１０４と、表示部１０５と、スピーカ１０６ａおよびマイクロフォン１０６ｂを含む音声処理部１０６と、制御手段としての制御部１０９とを有している。
【００１３】
通信処理部１０１は、電波を利用した無線通信で行うために、制御部１０９で処理された音声情報、電子メール等の各種情報を変調して送受信アンテナ１０１ａにより図示しない基地局に送信する。
また、通信処理部１０１は、基地局から無線により送信され、送受信アンテナ１０１ａで受信した音声情報、電子メール等の各種情報を復調して制御部１０９に出力する。
【００１４】
メモリ１０２は、ＥＥＰＲＯＭ等の不揮発性メモリを含んで構成され、指紋走査部１０３により取得された指紋データを、キー入力部１０４を通してユーザが入力する付加情報と関連付けて格納する。
付加情報は、指紋データの被験者に関する属性データである。たとえば、付加情報は、被験者の年齢や外観の特徴などの情報であるが、被験者を特定するための情報であれば何でもよい。上述したように、これらの付加情報は、指紋データを取得した際にユーザによりキー入力部１０４を通して入力される。
【００１５】
指紋走査部１０３は、キー入力部１０４の所定のキーの押下（操作）に応じて、指紋形状の走査を実行し、指紋データを生成する。図１（ｂ）に示すように、指紋走査部１０３に含まれるイメージセンサが、たとえば、本体ケース１００の背面に露出されて配設される。
指紋走査部１０３は、イメージセンサとして、たとえば、静電容量型の半導体センサを適用した場合には、人間の指の凹凸で生じる電位差を利用して静電容量を測定し、また、ＣＣＤ等の光学式センサを適用した場合には、光の反射を利用し、反射光量の大小を電気信号に変換することにより、指紋の形状の画像データ（指紋データ）を取得する。
【００１６】
キー入力部１０４は、終了（終話）／電源キー、開始（発呼）キー、数字等に対応した複数のテンキー等を有し、これらのキーがユーザにより操作されることにより、ユーザからの入力情報を制御部１０９に出力する。
また、上述したように、キー入力部１０４を通して、指紋データを取得した被験者に対応する付加情報がユーザにより入力される。
【００１７】
表示部１０５は、液晶表示装置（ＬＣＤ）等の表示デバイスを有し、通話機能のために入力した電話番号や各種メッセージ、テキストデータ等を表示する。
また、本実施形態においては、管理センタ２０より通信処理部１０１が受信する指紋照合結果（本人特定結果）を表示する。
【００１８】
音声処理部１０６は、音声処理回路を有し、通話機能のために音声出力を行うスピーカ１０６ａと音声入力を行うマイクロフォン１０６ｂとが接続されている。
音声処理部１０６は、マイクロフォン１０６ｂにより集音した音声に対して所定の処理を行って制御部１０９に供給する。
また、音声処理部１０６は、制御部１０９により供給された音声情報に対して所定の処理を行ってスピーカ１０６ａから出力させる。
【００１９】
制御部１０９は、マイクロコンピュータを主体として構成され、携帯電話機１０の全体の制御を行う。たとえば、制御部１０９は、通信処理部１０１における各種情報の無線による送受信の制御、音声処理部１０６に対する音声情報の処理、表示部１０５への情報の表示制御、キー入力部１０４の入力情報に応じた処理、メモリ１０２に対するアクセス制御等を行う。
また、制御部１０９は、キー入力部１０４の所定キーが操作されると、指紋走査部１０３に対して指紋の走査指示を行い、これにより、本体ケース１００に露出された指紋走査部１０３のイメージセンサを通して、指紋データの取得が可能となる。
【００２０】
以上、携帯電話機１０の各構成要素について説明した。
次に、本発明の指紋照合装置としての管理センタ２０の構成について、図３に関連付けて説明する。
図３に示すように、管理センタ２０は、送受信アンテナ２０１ａを含む通信処理部２０１と、指紋データベース２０２ａを含むメモリ２０２と、入力部２０４と、制御部２０９とから構成される。
【００２１】
通信処理部２０１は、電波を利用した無線通信で行うために、制御部２０９で処理されたテキストデータ等の各種情報を変調して送受信アンテナ２０１ａにより図示しない基地局に送信する。なお、通信処理部２０１は、無線通信でなく有線通信でもよく、要は、通信網を介して携帯電話機１０と通信ができればよいことは言うまでもない。
また、通信処理部２０１は、携帯電話機１０と無線通信を行う。
すなわち、基地局から無線により送信され、送受信アンテナ２０１ａで受信した指紋データおよび付加情報等の情報を復調して制御部２０９に出力する。さらに、制御部２０９において実行される指紋照合結果を復調し、送受信アンテナ２０１ａから基地局を通して、携帯電話機１０へ送信する。
【００２２】
メモリ２０２は、ＨＤＤ（ハードディスクドライブ）やＥＥＰＲＯＭ等の揮発性メモリを含んで構成される。メモリ２０２内には、指紋データベース２０２ａが存在し、指紋データと人物情報とを関連付けて格納する。
指紋データベース２０２ａに格納する人物情報は、登録した指紋データの指紋の所持者に対する属性データであり、少なくとも、携帯電話機１０を通して入力される付加情報よりも詳細な属性データを含んでいる。たとえば、指紋の所持者の氏名、住所、性別、体型などの本人を特定するために必要な情報が含まれている。
指紋データベース２０２ａに格納される人物情報は、携帯電話機１０から受信する付加情報と対比され、後述する指紋照合における検索対象を絞り込むために使用される。
たとえば、付加情報として性別情報（たとえば、１：男性，０：女性）が含まれているならば、指紋データベース２０２ａの人物情報に含まれる性別情報と対比し、指紋照合のための検索対象を絞り込む。また、付加情報として身長についての情報（たとえば、１：１６５cm以下，０：１６５cm以上）が含まれているならば、指紋データベース２０２ａの人物情報に含まれる体格情報と対比し、指紋照合のための検索対象を絞り込む。
これにより、指紋照合処理の精度が向上する。
また、メモリ２０２には、携帯電話機１０を含む複数の登録した携帯電話機のユーザの指紋データが格納されており、これらの指紋データは後述するユーザ認証のために利用される。
【００２３】
入力部２０４は、管理センタ２０の管理者により、指紋データベース２０２ａに登録されている情報を更新するための入力手段であり、キーボードおよびイメージセンサ等を含んで構成される。
たとえば、管理センタ２０の管理者は、入力部２０４を通して、指紋データベース２０２ａに対して新たに指紋データを登録したり、指紋データに対応する人物情報を変更したり、指紋データを削除したりすることが可能である。
【００２４】
制御部２０９は、マイクロコンピュータを主体として構成され、管理センタ２０の全体の制御を行う。たとえば、制御部２０９は、通信処理部２０１における各種情報の無線による送受信の制御、入力部２０４の入力情報に応じた処理、メモリ２０２に対するアクセス制御等を行う。
また、制御部２０９は、通信処理部２０１を通して、携帯電話機１０から通信処理部２０１が受信した指紋データおよび付加情報をメモリ２０２に格納するとともに、受信した付加情報を指紋データベース２０２ａの人物情報と対比させて照合対象を絞った後に、受信した指紋データに基づいて、指紋照合処理を行う。
指紋照合処理は、公知の技術を適用することができ、たとえば、以下の処理により実行される。
（１）特徴データの抽出
受信した指紋データの隆線の端点や分岐点などの特徴点に基づいて、特徴データを抽出する。すなわち、指紋データに現れる隆線の端点や分岐点の位置や方向を数値化して、特徴データとする。これにより、１つの指紋データに対して、１群の特徴データが得られる。
（２）特徴点の照合
受信した指紋データに対応する特徴データと、指紋データベース２０２ａに格納される指紋データの特徴データとを一つずつ対比し、１群の特徴データのうち、所定範囲において一致すると判断した場合には、指紋データが一致したと判断する。
【００２５】
以上、管理センタ２０の各構成要素について説明した。
次に、本発明に係る無線通信システムの一連の処理について、図４に関連付けて説明する。以下、図４の各ステップについて説明する。
携帯電話機１０の電源が起動されると、イニシャル処理として、携帯電話機１０と管理センタ２０の間で、ユーザ認証処理が行われる（ステップＳＴ１〜ステップＳＴ５）。本実施形態における携帯電話機１０は、管理センタ２０との間で指紋照合を行うことができるので、携帯電話機１０を本来のユーザ以外の者に悪用されることを回避するために、電源起動直後にユーザ認証処理を行うこととしている。
なお、ユーザ認証処理は、電源起動直後に限らず、たとえば、一定時間携帯電話機１０の操作が行われない場合など、実行するタイミングを任意に設定することが可能に構成される。
【００２６】
ステップＳＴ１：
ユーザが自己の指を指紋走査部１０３のイメージセンサに押し当てることにより、ユーザの指紋データが指紋走査部１０３により取得される。
ステップＳＴ２：
指紋データが取得されると、その指紋データの認証のため、通信処理部１０１により管理センタ２０へ送信される。
ステップＳＴ３：
管理センタ２０では、送信された指紋データと、メモリ２０２に格納されるユーザの指紋データとを照合して、送信された指紋データが登録されたユーザにものであるか否かが判断される。
ステップＳＴ４：
管理センタ２０より携帯電話機１０へ、ユーザ認証結果が送信される。認証方法については、上述した認証照合処理と同様である。
ステップＳＴ５：
携帯電話機１０の制御部１０９は、送信されたユーザ認証結果に基づいて、指紋走査部１０３の実行可否を決定する。
たとえば、ユーザ認証結果として、管理センタ２０においてユーザ認証が成功した場合には「１」を示す認証フラグを送信し、認証が失敗した場合には「０」を示す認証フラグを送信するように構成する。携帯電話機１０の制御部１０９は、指紋走査部１０３の実行制御を行うための実行フラグ（１：実行可、０：実行不可）に基づいて、指紋走査部１０３に対する制御を行うように構成する。そして、制御部１０９は、認証フラグが「１」である場合には実行フラグを「１」として、認証フラグが「０」である場合には実行フラグを「０」とする。
【００２７】
ステップＳＴ１〜４のユーザ認証が成功すると、表示部１０５は、無線通信が可能な画面（いわゆる待受画面）となる。そして、携帯電話機１０のユーザが被験者の指紋の照合を行うために、キー入力部１０４の所定のキーを操作すると、以下ステップＳＴ６〜１０の指紋照合処理が順に行われる。
ステップＳＴ６：
携帯電話機１０の背面に配設された指紋走査部１０３のイメージセンサに，被験者の指を押し当てると、イメージセンサが指紋形状の走査を実行し、指紋データを生成する。さらに、ユーザが被験者の付加情報（たとえば、年齢や外観上の特徴等）を入力し、生成した指紋データと関連付けてメモリ１０２へ格納する。
ステップＳＴ７：
指紋照合処理のため、携帯電話機１０は、生成した指紋データと対応する付加情報を管理センタ２０へ送信する。
ステップＳＴ８：
受信した指紋データに基づいて、管理センタ２０の制御部２０９が指紋照合処理を実行する。
ステップＳＴ９：
管理センタ２０は、得られた指紋照合結果を携帯電話機１０へ送信する。
ステップＳＴ１０：
携帯電話機１０の制御部１０９は、受信した指紋照合結果を表示部１０５に表示させる。
【００２８】
携帯電話機１０が実行する上記ステップＳＴ６および７の処理を、図５に示すフローチャートに関連付けて、さらに説明する。
以下、図５に示すフローチャートの各ステップについて説明する。
【００２９】
キー入力部１０４の所定キーの押下（走査）が、指紋走査機能を起動するためのトリガとなる（ステップＳＴ２０）。さらに、携帯電話機１０のユーザは、被験者の指を指紋走査部１０３のイメージセンサに押し当てることにより、イメージセンサは、指紋走査を行う（ステップＳＴ２１）。これにより、指紋走査部１０３は、被験者の指の画像データ（指紋データ）を生成し、制御部１０９は、生成された指紋データを制御部１０９内のバッファに一時保存する。
【００３０】
指紋データがバッファ内に格納されると、制御部１０９は、表示部１０５を制御して、被験者の付加情報に対する入力画面に遷移させ（ステップＳＴ２２）、ユーザが付加情報の入力を行う（ステップＳＴ２３）。制御部１０９は、入力された付加情報を、制御部１０９内のバッファに一時保存する。
付加情報は、指紋データを取得した被験者の年齢や外観上の特徴等であって、被験者に関する情報や被験者を特定するための情報であれば何でもよい。
次に、ユーザによる所定キーの押下（操作）などにより、付加情報の入力が終了したことが通知されると（ステップＳＴ２４）、制御部１０９は、表示部１０５を制御して、付加情報に対する入力画面を終了させるとともに、バッファに一時保存した被験者の指紋データと付加情報とを関連付けて、メモリ１０２に格納する（ステップＳＴ２５）。
【００３１】
さらに、ユーザによる所定キーの押下等による送信指示（ステップＳＴ２６）に応じて、制御部１０９は、メモリ１０２に格納した被験者の指紋データと付加情報とを、管理センタ２０へ送信する（ステップＳＴ２７）。管理センタ２０へ送信する通信データには、被験者の指紋データと付加情報のほか、送信元を特定するための固有の端末ＩＤが含まれている。端末ＩＤは、登録された各携帯電話機に対して割り当てられた固有のＩＤである。
なお、ステップＳＴ２５において、被験者の指紋データと付加情報とをメモリ１０２に格納した後に、ユーザの送信指示の有無にかかわらず指紋データと付加情報を管理センタ２０へ送信するように、制御部１０９を構成してもよい。
【００３２】
次に、図４のステップＳＴ８および９における管理センタ２０の処理を、図６に示すフローチャートに関連付けて、さらに説明する。
以下、図６に示すフローチャートの各ステップについて説明する。
管理センタ２０の通信処理部２０１が、携帯電話機１０より、被験者の指紋データと付加情報を受信すると（ステップＳＴ３０）、管理センタ２０の制御部２０９は、通信データに含まれる携帯電話機１０の端末ＩＤと受信データ（指紋データと付加情報）とを関連付けて、メモリ２０２に格納する（ステップＳＴ３１）。
【００３３】
次に、制御部２０９は、メモリ２０２に格納した受信データに含まれる指紋データを、指紋データベース２０２ａに格納される登録された指紋データに基づいて、指紋照合処理を行う。
すなわち、制御部２０９は、指紋データベース２０２ａに格納される登録された指紋データ（登録データ）を、１つずつ順に、受信してメモリ２０２に格納した指紋データと照合処理を行う（ステップＳＴ３２，３３）。
指紋照合処理は、たとえば、以下の処理を実行する。
（１）特徴データの抽出
受信した指紋データの隆線の端点や分岐点などの特徴点に基づいて、特徴データを抽出する。すなわち、指紋データに現れる隆線の端点や分岐点の位置や方向を数値化して、特徴データとする。これにより、１つの指紋データに対して、１群の特徴データが得られる。
（２）特徴点の照合
受信した指紋データに対応する特徴データと、指紋データベース２０２ａに格納される指紋データの特徴データとを一つずつ対比し、１群の特徴データのうち、所定範囲において一致すると判断した場合には、指紋データが一致したと判断する。
【００３４】
ステップＳＴ３３における指紋照合処理の結果、受信した指紋データと一致する指紋データが指紋データベース２０２ａに存在した場合には、制御部２０９は、通信処理部２０１を制御して、一致した指紋データに対応する人物情報を携帯電話機１０へ送信する（ステップＳＴ３４）。
一方、ステップＳＴ３３における指紋照合処理の結果、受信した指紋データと一致する指紋データが指紋データベース２０２ａに存在しない場合には、制御部２０９は、通信処理部２０１を制御して、「一致する指紋データが登録されていない」旨の通知を携帯電話機１０に対して送信する（ステップＳＴ３４）。
【００３５】
以上説明したように、本実施形態に係る携帯電話機１０によれば、無線通信を行う通信処理部１０１と、被験者の指紋データを取得する指紋走査部１０３と、被験者の付加情報を入力するキー入力部１０４と、表示部１０５と、被験者の指紋データと付加情報とを関連付けて記憶するメモリ１０２と、制御部１０９とを有し、制御部１０９は、被験者から取得した指紋データと付加情報（被験者に関する情報）を関連付けて、無線通信により送信するように構成した。
【００３６】
したがって、場所を選ばずに被験者の指紋データを取得し、取得した指紋データを被験者の本人確認のために、管理センタなどの第三者へ無線送信できる。
たとえば、各警察官などが携帯電話機１０を所持することにより、被疑者の指紋データの情報を早期に指紋照合を行う管理センタに送信することができるので、被疑者の特定を早期に行うことが可能となる。
また、その際、被験者の付加情報を、指紋データと関連付けて送信するので、管理センタは、指紋データと付加情報を関連付けて処理することにより、指紋データのみの情報と比較して、被験者の特定をさらに早期に行うことが可能となる。
【００３７】
本実施形態に係る無線通信システムによれば、上述した携帯電話機１０と管理センタから構成され、当該管理センタは、携帯電話機１０と指紋データや付加情報の無線通信によるデータの授受を行う通信処理部２０１と、予め登録された指紋データと  人物情報とが対応付けて記憶する指紋データベースを含むメモリ２０２と、制御部２０９とを含み、制御部２０９は、携帯電話機１０から受信した指紋データを、メモリ２０２の指紋データベースに記憶される指紋データと順次指紋照合を行い、通信処理部２０１は、指紋照合結果を無線通信により携帯電話機１０へ送信し、携帯電話機１０は、受信した指紋照合結果を表示部１０５に表示させるように構成した。
【００３８】
したがって、場所・時間を選ばずに被験者の指紋照合を行うことが可能となる。
たとえば、上述の携帯電話機を所持する各警察官が、被疑者の指紋データを携帯電話機により取得し、取得した指紋データを管理センタに無線通信により指紋照合させることが可能となるので、警察官は、短時間で被疑者を特定でき、被疑者を拘束する等の必要な措置をすぐに取ることができる。
【００３９】
本実施形態の無線通信システムによれば、被験者の指紋データと被験者の付加情報（たとえば、年齢や外観上の特徴等）を関連付けて処理するようにしたので、管理センタの指紋照合処理により、被験者を完全に特定できない場合（指紋照合により複数の候補が存在する場合）であっても、付加情報を組み合わせることにより、被験者の特定を容易にすることが可能となる。
さらに、大きな特徴を持つ付加情報が入力されたならば、この付加情報のみでも指紋照合対象（検索対象）を大きく絞り込むことができる場合もあり、その場合には、指紋照合を行わずに指紋照合対象のリストを携帯電話機１０へ送信する、という用い方も可能である。
【００４０】
本実施形態の無線通信システムによれば、ユーザ認証処理を行う。すなわち、ユーザは、自己の指紋データを無線通信により管理センタ２０へ送信し、管理センタ２０では、送信された指紋データと、メモリ２０２に予め格納されるユーザの指紋データとを照合して、送信された指紋データが登録されたユーザにものであるか否かを判断するユーザ認証を行い、そのユーザ認証結果を携帯電話機１０へ送信する。携帯電話機１０の制御部１０９は、送信されたユーザ認証結果に基づいて、指紋走査部１０３の実行可否を決定する。
したがって、かかるユーザ認証処理により、携帯電話機１０のユーザが正規に登録されたユーザであるか否かを管理センタ２０側で確認することが可能であり、たとえば、正規に登録されたユーザ（登録者）としての警察官が、携帯電話機１０を紛失した場合であっても、登録者以外の者が携帯電話機１０を悪用することを回避することができる。
【図面の簡単な説明】
【００４１】
【図１】携帯電話機の外観の一例を図解した図であり、（ａ）は正面の外観図を、（ｂ）は背面の外観図を、それぞれ示す。
【図２】携帯電話機のシステム構成の一例を図解したブロック図である。
【図３】管理センタのシステム構成の一例を図解したブロック図である。
【図４】携帯電話機と管理センタの処理手続きを図解した図である。
【図５】携帯電話機の動作を示すフローチャートである。
【図６】管理センタの動作を示すフローチャートである。
【符号の説明】
【００４２】
１０…携帯電話機
１００…本体ケース
１０１…通信処理部
１０１ａ…送受信アンテナ
１０２…メモリ
１０３…指紋走査部
１０４…キー入力部
１０５…表示部
１０６…音声処理部
１０６ａ…スピーカ
１０６ｂ…マイクロフォン
１０９…制御部
２０…管理センタ
２０１…通信処理部
２０１ａ…送受信アンテナ
２０２…メモリ
２０２ａ…指紋データベース
２０４…入力部
２０９…制御部
【図１】
2005192159.tif 000003
【図２】
2005192159.tif 000004
【図３】
2005192159.tif 000005
【図４】
2005192159.tif 000006
【図５】
2005192159.tif 000007
【図６】
2005192159.tif 000008